(57)【要約】【課題】静音化を図りながら、排気風の温度を正確に検知する電動送風機を提供する。【解決手段】遠心ファン３５ｇをファンカバー３５ｄ内に収めた送風部３５ａの下流側に突出して配されたモーター部４１と、モーター部４１を覆うと共に孔４４を有する防音材４３と、送風部３５ａにより生起される風が通り抜ける空気出口４５を有すると共に防音材４３を覆うモーターカバー３９と、空気出口４５から外れた位置で、かつ孔４４と対向する位置に設けられ内外を貫通する検出孔３９ａと、温度を感知する検知部３９ｂを有する温度センサ４０ｂとを備え、検知部３９ｂが検出孔３９ａを通してモーターカバー３９内に臨むように、温度センサ４０ｂをモーターカバー３９の外面に取り付けたもので、モーター部４１からの排気風が孔４４から直接出て、対向する位置にある温度センサ４０ｂの検知部３９ｂに当たるので、排気風の温度を正確に感知することができる。【選択図】図２
2007301277.tif 000002
【特許請求の範囲】
【請求項１】
ディフューザ及び遠心ファンをファンカバー内に収めた送風部と、前記送風部の下流側に突出して配され固定子及び回転子を内蔵するモーター部と、前記モーター部を覆うと共に孔を有する防音材と、前記送風部により生起される風が通り抜ける空気出口を有すると共に前記防音材を覆う略カップ状のモーターカバーと、前記モーターカバーの前記空気出口から外れた位置で、かつ前記孔と対向する位置に設けられ内外を貫通する検出孔と、温度を感知する検知部を有する温度センサとを備え、前記検知部が前記検出孔を通して前記モーターカバーの内部に臨むように、前記温度センサを前記モーターカバーの外面に取り付けたことを特徴とする電動送風機。
【請求項２】
検出孔の周囲に一体に筒部を突出させて設け、前記検出孔の両側にネジ受けボスを一体に設け、温度センサにフランジを設け、前記温度センサの検知部を前記検出孔に挿入し、前記フランジを前記ネジ受けボスにねじ止めして、前記温度センサをモーターカバーに取り付けるようにしたことを特徴とする請求項１に記載の電動送風機。
【請求項３】
請求項１又は２に記載の電動送風機を有する共に、温度センサの出力に応じて前記電動送風機への入力を低減又は、通電を停止するようにした電気掃除機。
【請求項４】
温度センサの出力に応じて電動送風機の入力制御する以外は、前記電動送風機の入力制御は行わないようにした請求項３に記載の電気掃除機。
【請求項５】
ファンカバーの外周に嵌合するモーター支持ゴムと、モーター部の後部を支持するモーターササエとを備え、前記モーター支持ゴムにモーターカバーの開口部を嵌合させると共に、前記モーターササエに前記モーターカバーの底に設けた孔を嵌合させて、前記モーターカバーを取り付けるようにした請求項３又は４に記載の電気掃除機。
【発明の詳細な説明】
【技術分野】
【０００１】
本発明は、電気掃除機などに使用される電動送風機及び、それを用いた電気掃除機に関するものである。
【背景技術】
【０００２】
従来のこの種の電動送風機は、風を生起する送風部と、固定子及び回転子を内蔵し前記送風部を回転駆動するモーター部と、前記モーター部を覆うと共に貫通する検出孔及び複数の排気孔を有するモーターカバーと、前記検出孔に取り付けられ、モーター部から排気される排気風の温度を検知する温度センサで構成され、前記温度センサが所定温度以上の温度を検知したときに、電動送風機への入力を低減若しくは停止するようにして、電動送風機の異常温度上昇や焼損などの不具合が起きないようにしていた。（例えば、特許文献１参照）。
【特許文献１】特許第３６８３７１９号公報
【発明の開示】
【発明が解決しようとする課題】
【０００３】
近年、電動送風機を内蔵した電気掃除機の静音化に対する要望が大きいが、その静音化対策の一つとして、電動送風機のモーター部を防音材で覆い、その防音材の外側にモーターカバーを設けるのが効果的である。
【０００４】
しかしながら、上記のような構成では、送風部で生起された風が防音材を通過する際に、防音材で熱が吸収されてしまい、温度センサが正確に排気風の温度が検知できず、その間にモーター部で熱が篭り、電動送風機の温度が異常に上昇したり、最悪、焼損するなどの課題があった。
【０００５】
本発明は、上記従来の課題を解決するもので、静音化を図りながら、モーター部からの排気風の温度を正確に検知して、温度上昇による不具合などを未然に防ぐことができる電動送風機及び電気掃除機を提供することを目的とする。
【課題を解決するための手段】
【０００６】
上記従来の課題を解決するために、本発明の電動送風機は、ディフューザ及び遠心ファンをファンカバー内に収めた送風部と、前記送風部の下流側に突出して配され固定子及び回転子を内蔵するモーター部と、前記モーター部を覆うと共に孔を有する防音材と、前記送風部により生起される風が通り抜ける空気出口を有すると共に前記防音材を覆う略カップ状のモーターカバーと、前記モーターカバーの前記空気出口から外れた位置で、かつ前記孔と対向する位置に設けられ内外を貫通する検出孔と、温度を感知する検知部を有する温度センサとを備え、前記検知部が前記検出孔を通して前記モーターカバーの内部に臨むように、前記温度センサを前記モーターカバーの外面に取り付けたもので、モーター部から排出された排気風が孔から直接出て、対向する位置にある温度センサの検知部に当たるようになるので、前記排気風の温度を正確に感知することができる。
【０００７】
また、本発明の電気掃除機は、請求項１又は２に記載の電動送風機を有する共に、温度センサの出力に応じて前記電動送風機への入力を低減又は、通電を停止するようにしたもので、排気風の温度が精度良く温度センサで検知されると共に、検知した温度が高くなってきたら、電動送風機へ入力を下げたり通電を停止するようにすれば、電動送風機の異常温度上昇や焼損を防止して安全な電気掃除機を提供することができる。
【発明の効果】
【０００８】
本発明の電動送風機及び電気掃除機は、静音化を図りながら、モーター部からの排気風の温度を正確に検知することができ、温度上昇による不具合を未然に防ぐことができる。
【発明を実施するための最良の形態】
【０００９】
第１の発明は、ディフューザ及び遠心ファンをファンカバー内に収めた送風部と、前記送風部の下流側に突出して配され固定子及び回転子を内蔵するモーター部と、前記モーター部を覆うと共に孔を有する防音材と、前記送風部により生起される風が通り抜ける空気出口を有すると共に前記防音材を覆う略カップ状のモーターカバーと、前記モーターカバーの前記空気出口から外れた位置で、かつ前記孔と対向する位置に設けられ内外を貫通する検出孔と、温度を感知する検知部を有する温度センサとを備え、前記検知部が前記検出孔を通して前記モーターカバーの内部に臨むように、前記温度センサを前記モーターカバーの外面に取り付けたもので、モーター部から排出された排気風が孔から直接出て、対向する位置にある温度センサの検知部に当たるようになるので、前記排気風の温度を正確に感知することができる。
【００１０】
第２の発明は、特に、第１の発明の検出孔の周囲に一体に筒部を突出させて設け、前記検出孔の両側にネジ受けボスを一体に設け、温度センサにフランジを設け、前記温度センサの検知部を前記検出孔に挿入し、前記フランジを前記ネジ受けボスにねじ止めして、前記温度センサをモーターカバーに取り付けるようにしたもので、前記温度センサを取り付けるために部品を新たに配設する必要がなく、部品点数を減らしコスト削減をすることができる。
【００１１】
第３の発明は、請求項１又は２に記載の電動送風機を有する共に、温度センサの出力に応じて前記電動送風機への入力を低減又は、通電を停止するようにしたもので、排気風の温度が精度良く温度センサで検知されると共に、検知した温度が高くなってきたら、電動送風機へ入力を下げたり通電を停止するようにすれば、電動送風機の異常温度上昇や焼損を防止して安全な電気掃除機を提供することができる。
【００１２】
第４の発明は、特に、第３の発明の温度センサの出力に応じて電動送風機の入力制御する以外は、前記電動送風機の入力制御は行わないようにしたもので、通常は、入力制御がないため電動送風機から排出される排気風の速度は、ほぼ一定とみなす事ができ、前記温度センサにてほぼ正確な温度を検出できるとともに、安心して使用できる電気掃除機を提供することができる。
【００１３】
第５の発明は、特に、第３又は第４の発明のファンカバーの外周に嵌合するモーター支持ゴムと、モーター部の後部を支持するモーターササエとを備え、前記モーター支持ゴムにモーターカバーの開口部を嵌合させると共に、前記モーターササエに前記モーターカバーの底に設けた孔を嵌合させて、前記モーターカバーを取り付けるようにしたもので、余分な部品を使用することなく、防音材との間で所定の距離を置きながら、防音材を覆い、取り付けることができる。
【００１４】
以下、本発明の実施の形態について、図面を参照しながら説明する。なお、この実施の形態によってこの発明が限定されるものではない。
【００１５】
（実施の形態１）
図１は、本発明の実施の形態１における電動送風機を搭載した電気掃除機の断面図、図２は、同電動送風機の概略構成を示す断面図である。
【００１６】
図１、２において、電気掃除機１００は、塵埃を吸引する吸込具１０１と、吸込具１０１に傾動自在に支持された本体１０５と、本体１０５の上部に設けられたハンドル１０６から構成されている。
【００１７】
本体１０５の内部には、空気を吸引する電動送風機３５がその最下方に設けられ、その上方に位置し、本体１０５に装着自在で、塵埃を捕集する集塵装置１３、さらにその上方にコードリール１０４が配置されている。吸込具１０１と集塵装置１３は、接続パイプ１０８によって連通され空気流路２を形成している。
【００１８】
接続パイプ１０８は、吸込具１０１の上方に配置された接続パイプＡ１０９と、集塵装置１３に空気流入口１を介して連結され、前記接続パイプＡ１０９と集塵装置１３及びその上方へと連通する接続パイプＢ１１０で構成されており、吸引した塵埃を捨てるべく、集塵装置１３を本体１０５から分離したとき、接続パイプＢ１１０は、集塵装置１３と分離する構成となっている。
【００１９】
図２において、電動送風機３５を本体１０５に取り付ける際に、電動送風機３５の前部は、モーター支持ゴム３６で、又後部は、モーターササエ４２でそれぞれ支持される。
【００２０】
電動送風機３５は、ディフューザ（図示せず）及び遠心ファン３５ｇをファンカバー３５ｄの内部に備えた送風部３５ａとモーター部４１から成り、前記モーター部４１は、図示しない固定子及び回転子を内蔵すると共に、前記送風部３５ａの下流側に突出して形成されている。
【００２１】
前記モーター部４１は、防音材４３で取り巻くように覆われ、さらにその外側がモーターカバー３９で覆われている。このモーターカバー３９は、カップ状に成形されており、空気出口４５を備えている。前記モーターカバー３９の開口部である開口縁部３９ｅを、前記ファンカバー３５ｄの外周部に嵌合された前記モーター支持ゴム３６に嵌合させ、又、モーターカバー３９の底部に設けた孔（図示せず）を、モーターササエ４２に嵌合させて、モーターカバー３９を取り付けるようにしている。
【００２２】
モーターカバー３９には、検出孔３９ａが開口し、その検出孔３９ａの径方向両側に一対のネジ受けボス３９ｄが設けられ、さらに、そのネジ受けボス３９ｄに、排気される空気の温度を検知する検知部３９ｂを有する温度センサ４０ｂがネジ４６で取り付けられている。
【００２３】
防音材４３には、孔４４が開口しており、その孔４４は、図２に示すように、温度センサ４０ｂの検知部３９ｂが臨む検出孔３９ａに対向して設けられている。
【００２４】
以上のように構成された電動送風機及び電気掃除機について、以下その動作、作用を説明する。
【００２５】
電気掃除機１００を使用して床面を掃除するとき、吸込具１０１の底面を床面に密着させた状態で、ハンドル１０６を持ち、前後移動動作を行うが、このとき電動送風機３５による吸込力により、前記吸込具１０１から吸引された塵埃は、吸込風と一緒に空気流路２を通って集塵装置１３まで搬送される。このとき比較的、重い電動送風機３５が、本体１０５内で、集塵装置１３の下方に設けられているため、本体１０５を前後左右方向に回動させても重く感じることがなく、特にベッドの下等を掃除しようとしたときにも、容易に前記本体１０５を支えることができる。
【００２６】
電動送風機３５で発生した風は、遠心ファン３５ｇと空気との摩擦による発熱およびモーター部４１内の固定子巻線（図示せず）での発熱によって上昇し、モーター部４１を通って前記防音材４３、前記モーターカバー３９にあけられた空気出口４５を介して排出される。
【００２７】
本実施の形態では、温度センサ４０ｂが所定の温度以上の温度を検知すると、図示しない制御手段が、電動送風機３５への入力を低減或いは、通電を停止して、電動送風機３５の異常温度上昇、或いは焼損を防止するようにしている。
【００２８】
又、前記モーターカバー３９に配設された温度センサ４０ｂの検知部３９ｂが、防音材４３の孔４４に対向した位置にあるので、電動送風機３５から排出される風の温度を直接測ることができ、温度上昇による前記電気掃除機１００の不具合を事前に防ぐことができる。
【００２９】
また、本実施の形態における電気掃除機１００では、温度センサ４０ｂの検知温度に応じて入力制御する以外は、通常入力制御を行わないようにしている。従って、通常、電動送風機３５の回転数が変わることがないので、この電動送風機３５が生起する風の温度が不規則に変動することがなく、ほぼ正確に、送風される空気の温度を検知することができる。
【００３０】
また、前記電動送風機３５のモーター部４１を覆うモーターカバー３９に温度センサ４０ｂを直接取り付けることで、温度センサ４０ｂを取り付けるための部品を必要とせず、組み立てが簡単になるとともに、部品のコスト削減をはかることができる。
【００３１】
なお、特に、図示しないが、検出孔３９ａの周囲に一体に筒部を突出させて設け、前記検出孔３９ａの両側にネジ受けボスを一体に設け、温度センサ４０ｂにフランジを設け、前記温度センサ４０ｂの検知部３９ｂを前記検出孔３９ａに挿入し、前記フランジを前記ネジ受けボスにねじ止めして、前記温度センサ４０ｂをモーターカバー３９に取り付けるようにすれば、温度センサ４０ｂを取り付けるために部品を新たに配設する必要がなく、部品点数を減らしコスト削減をすることができる。
【００３２】
また、モーター支持ゴム３６にモーターカバー３９の開口縁部３９ｅを嵌合させると共に、モーターササエ４２にモーターカバー３９の底に設けた孔を嵌合させて、モーターカバー３９を取り付けるようにしているので、余分な部品を使用することなく、防音材４３との間で所定の距離を置きながら、防音材４３を覆い、取り付けることができる。
【産業上の利用可能性】
【００３３】
以上のように、本発明にかかる電動送風機は、静音化を図りながら、モーター部からの排気風の温度を正確に検知することができ、温度上昇による不具合を未然に防ぐことができるもので、電動送風機を使用する家庭用、業務用の各種電気掃除機や集塵機に適用できる。
【図面の簡単な説明】
【００３４】
【図１】本発明の実施の形態１における電動送風機を搭載した電気掃除機の断面図
【図２】同電動送風機の断面図
【符号の説明】
【００３５】
１３    集塵装置
３５    電動送風機
３５ａ  送風部
３５ｄ  ファンカバー
３５ｇ  遠心ファン
３６    モーター支持ゴム
３９    モーターカバー
３９ａ  検出孔
３９ｂ  検知部
３９ｄ  ネジ受けボス
３９ｅ  開口縁部（開口部）
４１    モーター部
４２    モーターササエ
４３    防音材
４４    孔
４５    空気出口
１００  電気掃除機
１０１  吸込具
１０５  本体
【図１】
2007301277.tif 000003
【図２】
2007301277.tif 000004